(57)【特許請求の範囲】
【請求項１】
縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域において前記シャーシから離間可能に形成された離隔シートとを含み、前記シャーシは、前記前後ウエスト域にウエスト開口を形成し、前記クロッチ域に一対のレッグ開口を形成する吸収性物品において、
前記離隔シートは、前記縦方向に延びるとともに前記横方向に対向する両側部分と、前記両側部分の間をつなぐ中間部分と、前記中間部分を介して前記前ウエスト域側に位置する前方連通部と、前記後ウエスト域側に位置する後方連通部と、前記横方向に対向して前記縦方向に延びるとともに伸長状態で取り付けられる離隔シート弾性部材とを含み、前記縦方向に対向して前記横方向に延びる前後端縁が前記シャーシの身体側に固着され、前記吸液構造体が前記クロッチ域から前記前後ウエスト域に湾曲することによって、前記離隔シートと前記吸液構造体との間に空隙を形成し、
前記前後方連通部は、前記空隙の内部に向かって排泄物を通過させることが可能であって前記両側部分および前記中間部分によって形成され、
前記シャーシは、前記レッグ開口の開口縁に沿って取り付けられたレッグ弾性部材を含み、前記レッグ弾性部材は、前ウエスト域側に位置する前レッグ弾性部材と後ウエスト域側に位置する後レッグ弾性部材とを含み、前記後レッグ弾性部材は、一方の前記レッグ開口に沿って延びる第１周延部と、一方の前記レッグ開口から他方の前記レッグ開口へ前記クロッチ域を横断する後横断部と、他方の前記レッグ開口に沿って延びる第２周延部とを含み、前記後横断部は前記離隔シートの前記中間部分に対応する位置関係を有し、
前記吸液構造体は、吸液性芯材と、前記吸液性芯材を包むシートと、前記吸液構造体が前記着衣側に向かって凸となるように折れ曲がるのを誘導する折り曲げ誘導部とを含み、前記折り曲げ誘導部は、前記後レッグ弾性部材の前記後横断部よりも前記後ウエスト域側に形成され、
前記離隔シートと前記吸液構造体との間には、前記空隙を前後に分離する仕切りシートが形成され、前記仕切りシートは、前記離隔シートの前記両側部分にまたがるとともに、互いに対向する上下端縁を含み、前記上端縁は、前記縦方向において前記後レッグ弾性部材の前記後横断部と重なる位置で前記離隔シートに接合され、前記下端縁は、前記縦方向において前記後レッグ弾性部材の前記後横断部に重なる位置で前記吸液構造体に接合されることを特徴とする前記吸収性物品。
【請求項２】
前記折り曲げ誘導部は、互いに分離し、かつ前記縦方向に延びる二条のスリットを含み、前記スリットは前記後ウエスト域側に向かって前記横方向の離間間隔が次第に大きくなるように形成される請求項１記載の吸収性物品。
【請求項３】
前記折り曲げ誘導部は、前記吸液性芯材の一部を厚さ方向に貫通するように刳り抜いて形成された刳り抜きを含み、前記刳り抜きは、前記後ウエスト域側に向かって前記横方向の寸法が大きくなるように形成され、
前記吸液構造体は、前記刳り抜きに重なり、かつ前記刳り抜きの全部を覆う刳り抜き用シートを含み、前記刳り抜き用シートは前記吸液性芯材を包むシートに接合される請求項１記載の吸収性物品。
【請求項４】
前記前レッグ弾性部材は、前記クロッチ域を横断する前横断部を含む請求項１〜３のいずれかに記載の吸収性物品。
【請求項５】
前記離隔シートの前記中間部分は、前記縦方向の寸法を二等分する横中心線よりも、前記前ウエスト域側に位置する請求項１〜４のいずれかに記載の吸収性物品。
【請求項６】
漏れバリアカフをさらに含み、前記漏れバリアカフは前記横方向に対向し前記縦方向に延びる一対のシートと、前記縦方向に延びる側縁に伸長状態で取り付けられたカフ弾性部材とを含むとともに、前記離隔シートの前記両側部分の身体側に位置する請求項１〜５のいずれかに記載の吸収性物品。
【発明の詳細な説明】
【技術分野】
【０００１】
この発明は、吸収性物品に関し、さらに詳しくは使い捨てのおむつ、排便トレーニングパンツ、失禁ブリーフ等の吸収性物品に関する。
【背景技術】
【０００２】
従来、使い捨てのおむつとして、例えば特開２００７-１０５２９８号公報（特許文献１）が公知である。この特許文献１によれば、おむつは、外装部材と、外装部材の身体側内面に形成した吸収性本体と、吸収性本体のさらに身体側内面に形成したスキンコンタクトシートとを備えている。スキンコンタクトシートには、縦方向に尿通過用開口部と便通過用開口部とを備え、これら開口部を中央領域によって画成している。スキンコンタクトシートには開口部に沿って縦方向に延びる弾性部材が伸長状態で取り付けられ、スキンコンタクトシートを吸液性本体から離間可能にしている。外装部材には、脚周り伸縮材を伸長状態で取り付けている。尿や便はそれぞれ尿通過用開口および便通過用開口部を通過して吸収性本体側に誘導され、尿や便が着用者の肌に接触するのを抑制するようにしている。
【特許文献１】特開２００７−１０５２９８号公報
【発明の開示】
【発明が解決しようとする課題】
【０００３】
脚周り伸縮材は、おむつの横方向の寸法を二等分する縦中心線の近傍で切断されている。縦中心線の近傍では脚周り伸縮材の伸縮力が作用しないので、例えば着用者が立ったり座ったりしておむつに外力が作用した場合に、おむつの形状を保つことができない。図９は、おむつに外力が作用した場合を示したものである。おむつ１００は前ウエスト域１０１、後ウエスト域１０２、クロッチ域１０３を形成している。このおむつ１００のクロッチ域１０３に外力が作用した場合には、クロッチ域１０３がつぶれて着用者側へと入り込んでしまい、つぶれた状態からもとの状態に復元することができない。このようにクロッチ域がつぶれると、前述した外装部材とスキンコンタクトシートとが接触し、外装部材に形成された吸収性本体に収容された尿や便が尿通過用開口部および便通過用開口部を介して着用者の肌に接触してしまう。尿や便が着用者の肌に接触した状態が続けば、かぶれ等の肌トラブルを生じる可能性がある。肌トラブルは特に便が接触した場合に顕著である。
【０００４】
この発明では、離隔シートと吸液構造体との間に便を保持する空隙を形成し、これを維持することを課題とする。
【課題を解決するための手段】
【０００５】
この発明は、縦方向および横方向と、身体側および着衣側と、前記縦方向に連なる前ウエスト域、後ウエスト域および前記前後ウエスト域間に位置するクロッチ域と、少なくとも前記クロッチ域に配置される吸液構造体とを有するシャーシと、前記シャーシの前記身体側にあって前記クロッチ域において前記シャーシから離間可能に形成された離隔シートとを含み、前記シャーシは、前記前後ウエスト域にウエスト開口を形成し、前記クロッチ域に一対のレッグ開口を形成する吸収性物品の改良に関わる。
【０００６】
この発明は前記吸収性物品において、前記離隔シートは、前記縦方向に延びるとともに前記横方向に対向する両側部分と、前記両側部分の間をつなぐ中間部分と、前記中間部分を介して前記前ウエスト域側に位置する前方連通部と、前記後ウエスト域側に位置する後方連通部と、前記横方向に対向して前記縦方向に延びるとともに伸長状態で取り付けられる離隔シート弾性部材とを含み、前記縦方向に対向して前記横方向に延びる前後端縁が前記シャーシの身体側に固着され、前記吸液構造体が前記クロッチ域から前記前後ウエスト域に湾曲することによって、前記離隔シートと前記吸液構造体との間に空隙を形成し、前記前後方連通部は、前記空隙の内部に向かって排泄物を通過させることが可能であって前記両側部分および前記中間部分によって形成され、前記シャーシは、前記レッグ開口の開口縁に沿って取り付けられたレッグ弾性部材を含み、前記レッグ弾性部材は、前ウエスト域側に位置する前レッグ弾性部材と後ウエスト域側に位置する後レッグ弾性部材とを含み、前記後レッグ弾性部材は、一方の前記レッグ開口に沿って延びる第１周延部と、一方の前記レッグ開口から他方の前記レッグ開口へ前記クロッチ域を横断する後横断部と、他方の前記レッグ開口に沿って延びる第２周延部とを含み、前記後横断部は前記離隔シートの前記中間部分に対応する位置関係を有し、前記吸液構造体は、吸液性芯材と、前記吸液性芯材を包むシートと、前記吸液構造体が前記着衣側に向かって凸となるように折れ曲がるのを誘導する折り曲げ誘導部とを含み、前記折り曲げ誘導部は、前記後レッグ弾性部材の前記後横断部よりも前記後ウエスト域側に形成され、前記離隔シートと前記吸液構造体との間には、前記空隙を前後に分離する仕切りシートが形成され、前記仕切りシートは、前記離隔シートの前記両側部分にまたがるとともに、互いに対向する上下端縁を含み、前記上端縁は、前記縦方向において前記後レッグ弾性部材の前記後横断部と重なる位置で前記離隔シートに接合され、前記下端縁は、前記縦方向において前記後レッグ弾性部材の前記後横断部に重なる位置で前記吸液構造体に接合されることを特徴とする。
【０００８】
好ましい他の実施態様のひとつとして、前記前レッグ弾性部材は、前記クロッチ域を横断する前横断部を含む。
【００１０】
好ましい他の実施態様のひとつとして、前記折り曲げ誘導部は、互いに分離し、かつ前記縦方向に延びる二条のスリットを含み、前記スリットは前記後ウエスト域側に向かって前記横方向の離間間隔が次第に大きくなるように形成される。
【００１１】
好ましい他の実施態様のひとつとして、前記折り曲げ誘導部は、前記吸液性芯材の一部を厚さ方向に貫通するように刳り抜いて形成された刳り抜きを含み、前記刳り抜きは、前記後ウエスト域側に向かって前記横方向の寸法が大きくなるように形成され、前記吸液構造体は、前記刳り抜きに重なり、かつ前記刳り抜きの全部を覆う刳り抜き用シートを含み、前記刳り抜き用シートは前記吸液性芯材を包むシートに接合される。
【００１３】
好ましい他の実施態様のひとつとして、前記離隔シートの前記中間部分は、前記縦方向の寸法を二等分する横中心線よりも、前記前ウエスト域側に位置する。
【００１４】
好ましい他の実施態様のひとつとして、漏れバリアカフをさらに含み、前記漏れバリアカフは前記横方向に対向し前記縦方向に延びる一対のシートと、前記縦方向に延びる側縁に伸長状態で取り付けられたカフ弾性部材とを含むとともに、前記離隔シートの前記両側部分の身体側に位置する。
【発明の効果】
【００１５】
レッグ開口の開口縁に沿って取り付けられたレッグ弾性部材のうち、少なくとも後レッグ弾性部材は、クロッチ域を横断する後横断部を形成することとしたので、後レッグ弾性部材の収縮力でクロッチ域は、着用者内面側に向かって付勢される。後横断部が位置しない部分では、着用者側に向かって付勢されることがなく、相対的に着衣側へと垂れ下がりポケットを形成する。排泄された便をこのポケットに収容することができるので、便等が着用者の肌に付着するのを抑制することができる。さらに、後レッグ弾性部材の収縮力によってクロッチ域でのシャーシの付勢が維持されるので、形成されたポケットの形状を維持するとともに、空隙の形成も維持することができる。
後レッグ弾性部材の後横断部は、離隔シートの中間部分に対応する位置としているので、後開口部はポケットに対応する位置に開口され、便を確実にポケットに収容することができる。
【００１６】
後レッグ弾性部材は、一方のレッグ開口に沿って延びる第１周延部と、クロッチ域を横断する後横断部と、他方のレッグ開口に沿って延びる第２周延部とを有することとしたので、第１および第２周延部の収縮力によってレッグ開口を着用者に密着させることができる。また第１および第２周延部が縦方向に収縮し、後横断部が横方向に収縮することによって、ポケットの形成を保持することができる。
【００１７】
前レッグ弾性部材は、クロッチ域を横断する前横断部を含むこととしたので、後レッグ弾性部材の後横断部との収縮力と相まって、クロッチ域における横断部形成部分を着用者側に確実に付勢することができる。したがって、より一層ポケットを形成しやすく、しかも形成したポケットの形状を保持することができる。
【００１８】
吸液構造体には、着衣側に向かって凸となるように折れ曲がるのを誘導する折り曲げ誘導部を形成することとしたので、より一層ポケットを形成しやすく、形成したポケットの形状を保持することができる。折り曲げ誘導部は、後レッグ弾性部材の後横断部よりも後ウエスト域側に形成することとしたので、特に便をポケットに収容することができ、便が着用者に付着するのを抑制することができる。
【００１９】
折り曲げ誘導部は、縦方向に延びる二条のスリットを含み、スリットは後ウエスト域側に向かって横方向の間隔が大きくなるように形成することとしたので、吸液構造体は後ウエスト域側で縦方向にも折れ曲がりやすくなり、よりポケットの形状を保持することができる。
【００２０】
吸液構造体には、吸液性芯材の一部を刳り抜いて刳り抜きを形成することとしたので、この刳り抜きを形成した部分では他の部分よりも剛性が低くなり、着衣側に向かって折れ曲がりやすくなるのでより一層ポケットを形成されやすくすることができる。さらに、吸液性芯材が水分を含んで膨張し身体側に向かって膨らんだときでも、刳り抜きを形成することにより、この膨らみを防止することができ、空隙が狭くなるのを抑制することができる。
【００２１】
吸液構造体は、刳り抜きに重なる刳り抜き用シートを含み、前記刳り抜き用シートは吸液性芯材を包むシートに接合されることとしたので、刳り抜きの形成によって、この形成部分の剛性が低下し吸液構造体がへたった場合であっても、その剛性を維持することができる。吸液構造体がへたった場合には、例えば着用者が座って空隙がつぶれたときに、着用者が立ち上がってもつぶれた空隙が戻らないこともあり得るが、刳り抜き用シートによって剛性を維持することによって、つぶれた空隙をもとの状態に回復することができる。
【００２２】
離隔シートの中間部分は、縦方向の寸法を二等分する横中心線よりも、前ウエスト域側に位置するようにしているので、ポケットは横中心線よりも後ウエスト域側に形成される。したがって、着用者の体型差や、おむつのずれ等に拘わらず便をポケットに収容することができる。
【００２３】
漏れバリアカフをさらに含むこととしたので、排泄物等が着用物品外に漏れるのをさらに抑制することができる。
【発明を実施するための最良の形態】
【００２４】
吸収性物品として使い捨ておむつを用い、この発明の一例を説明する。
＜第１の実施形態＞
【００２５】
図１〜５は第１の実施形態を示したものである。図１はおむつ１の着用状態を示した図である。図示したように、おむつ１はシャーシ２と離隔シート３と漏れバリアカフ４とを含む。シャーシ２はパンツ型に形成され、身体側内面５および着衣側外面６と、前ウエスト域７、後ウエスト域８および前記前後ウエスト域７，８間に位置するクロッチ域９を含んでいる。前ウエスト域７からクロッチ域９を通って後ウエスト域８へと向かう方向を縦方向Ｙとし、これに直交する方向を横方向Ｘとしている。シャーシ２は、内面シート１１と外面シート１２と、これら内外面シート１１，１２の間に介在する不透液性の漏れバリアシート１３と、内面シート１１に積層された吸液構造体１０とによって形成されている。
【００２６】
前後ウエスト域７，８においては、互いのウエスト側縁部１４，１５の対向面が重なり合い、間欠的に並ぶ複数の接合部１６において互いに接合されてシーム部が形成されている。
接合部１６でウエスト側縁部１４，１５が接合されることにより、前後ウエスト域７，８で囲まれた領域にウエスト開口１８が形成されるとともに、レッグ側縁部１７で囲まれた一対のレッグ開口１９が形成されている。ウエスト開口１８の周縁部に沿って複数条のウエスト弾性部材２０が延び、レッグ開口１９の周縁部に沿って複数条のレッグ弾性部材２１が延びている。それら弾性部材２０，２１は、内面シート１１と外面シート１２との間にあり、これらシート１１，１２の少なくとも一方に接着剤（図示せず）を介して伸長状態で接合されている。
【００２７】
図２は図１のＩＩ−ＩＩ線断面図である。図２に示すように、内面シート１１の身体側内面５に吸液構造体１０として吸液性パネル２３が配置され、吸液構造体１０よりもさらに身体側に離隔シート３が配置され、離隔シート３のさらに身体側に漏れバリアカフ４が配置されている。
【００２８】
吸液性パネル２３は、ティッシュペーパ等の吸液拡散シート２４で包まれる吸液性芯材２５と、吸液拡散シート２４をさらに覆う身体側ライナ２６とで形成されている。吸液性パネル２３の着衣側は外面シート１２の内側に配置された漏れバリアシート１３で被覆され、芯材２５に吸収された体液がおむつ１から漏れるのを抑制する。漏れバリアシート１３は、吸液性パネル２３の底面に直接接合されることもある。
【００２９】
離隔シート３の前端縁２７と後端縁２８は、その近傍が接着または溶着により身体側ライナ２６に接合されている。前端縁２７と後端縁２８とは、それぞれ前ウエスト域７および後ウエスト域８に位置している。図示したようなパンツ型の状態においては、クロッチ域９が湾曲するとともに、後に説明する離隔シート弾性部材の収縮によって、離隔シート３は身体側ライナ２６から上方向に離間している。離隔シート３の前後端縁２７，２８は身体側ライナ２６に接合されているので、離隔シート３全体はハンモックを吊り下げたような形状を有する。このような形状により、離隔シート３と吸液性パネル２３との間に空隙２９が形成される。
【００３０】
離隔シート３と吸液性パネル２３との間には、空隙２９を前後に分離する仕切りシート３０を形成している。仕切りシート３０は、互いに対向する上下端縁３１，３２を含み、上端縁３１を離隔シート３に溶着または接着により接合し、下端縁３２を吸液性パネル２３の身体側ライナ２６に溶着または接着により接合している。このように接合されることにより、空隙２９を前後空隙部２９ａ，２９ｂに離間することができる。後空隙部２９ｂはレッグ弾性部材２１の収縮力によって空隙を大きくするように垂れ下がり、ポケット３３を形成している。
【００３１】
図３は図１の接合部１６における前後ウエスト域７，８の接合をはずし、おむつ１を縦方向Ｙと横方向Ｘとに展開し、前後ウエスト域７，８とクロッチ域９とが同一平面上に位置するようにしたおむつ１の平面図である。おむつ１は、平面状になるように各弾性部材の伸縮力を作用させない状態を示している。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。
【００３２】
図４は、図３のおむつ１から図５で示す吸液性パネル等２３を外したものであり、その一部を破断させている。図示したように、シャーシ２はほぼ同形同大の内外面シート１１，１２を含み、ウエスト側縁部１４，１５とこれらウエスト側縁部１４，１５の間に位置するレッグ側縁部１７とを有している。レッグ側縁部１７が縦中心線Ｐ−Ｐに向かって凸となるように湾曲することによって、シャーシ２はほぼ砂時計型に形成されている。
【００３３】
内外面シート１１，１２は通気性かつ疎水性の不織布等で形成され、接着または溶着により互いに接合されている。
【００３４】
レッグ弾性部材２１は、前ウエスト域７側に位置する前レッグ弾性部材３４と、後ウエスト域８側に位置する後レッグ弾性部材３５とを含む。前レッグ弾性部材３４は、横方向Ｘに分割された一対の弾性部材から形成され、レッグ側縁部１７に沿って、前レッグ弾性部材３４の長さ方向に伸長状態で取り付けられる。後レッグ弾性部材３５は、後ウエスト域８から一方のレッグ側縁部１７に沿って延びる後第１周延部３５ａと、一方のレッグ側縁部１７から他方のレッグ側縁部１７へと横断する後横断部３５ｂと、後横断部３５ｂから他方のレッグ側縁部１７に沿って後ウエスト域８へと延びる後第２周延部３５ｃとを含む。後レッグ弾性部材３５は、横方向Ｘに亘って連続して取り付けられ、後第１，第２周延部３５ａ，３５ｃはその長さ方向に伸長状態で取り付けられ、後横断部３５ｂではクロッチ域９の横方向Ｘに伸長状態で取り付けられる。
【００３５】
図５は主として、離隔シート３および吸液性パネル２３を説明するために、図４に示した内外面シート１１，１２を省略したときのそれらの斜視図であり、その一部を破断させている。図示したように、吸液性パネル２３の着用者内面側には、離隔シート３を形成し、離隔シート３のさらに着用者内面側には漏れバリアカフ４を形成している。
【００３６】
吸液性パネル２３は、クロッチ域９において、縦中心線Ｐ−Ｐに沿って折り曲げ誘導部として刳り抜き３６を形成している。刳り抜き３６は、芯材２５を刳り抜いたもので、刳り抜き３６においては芯材２５を覆っていた吸液拡散シート２４と身体側ライナ２６とが厚さ方向で互いに直接重なるようになる。刳り抜き３６は、前ウエスト域７側から後ウエスト域８側に向かってその横方向Ｘの寸法が大きくなるようにしている。
吸液性パネル２３には、刳り抜き３６に重なるように、刳り抜き用シート５７が形成されている。刳り抜き用シート５７は、吸液性パネル２３と内面シート１１との間に配置され、少なくともいずれか一方に接着または溶着によって接合される。
【００３７】
離隔シート３は、横方向Ｘに対向する両側部分３７，３８と両側部分３７，３８の間をつなぐ中間部分３９とを有し、中間部分３９はクロッチ域９に位置している。両側部分３７，３８および中間部分３９によって前後方連通部４０，４１を形成している。前方連通部４０は、中間部分３９から前ウエスト域７に向かって延びるほぼＵ字形であり、後方連通部４１は、中間部分３９から後ウエスト域８に向かって延びるほぼＵ字形である。前方連通部４０は、両側部分３７，３８に位置する両内側縁４２と、これら両内側縁４２をつなぐ湾曲した閉鎖縁４３とによって画成される。後方連通部４１は両側部分３７，３８に位置する両内側縁４４と、これら両内側縁４４をつなぐ湾曲した閉鎖縁４５とによって画成される。
【００３８】
離隔シート３には、前後方連通部４０，４１に沿って縦方向Ｙに延びる一対の離隔シート弾性部材４６を伸長状態で取り付けている。離隔シート弾性部材４６は縦中心線Ｐ−Ｐを挟んでほぼ対称に取り付けられ、中間部分３９において縦中心線Ｐ−Ｐに向かって湾曲している。
【００３９】
離隔シート３は、両側部分３７，３８が吸液性パネル２３側に折り返されて二枚重ねになっている。この二枚重ねになった両側部分３７，３８の間に離隔シート弾性部材４６を図示しない接着剤によって接合している。
離隔シート３は、少なくとも前後端縁２７，２８においてその両側部分３７，３８で折り返された部分を吸液性パネル２３の身体側ライナ２６に接着剤４７を介して接合している。
離隔シート３と身体側ライナ２６との間には、仕切りシート３０を形成している。仕切りシート３０は横方向Ｘにおいて、少なくとも両側部分３７，３８にまたがって位置するようにしている。
【００４０】
漏れバリアカフ４は、縦中心線Ｐ−Ｐに対称に縦方向Ｙに延びる一対のシートから形成され、このシートは不織布やプラスチックフィルム等であり好ましくは不透液性である。各漏れバリアカフ４は、離隔シート３の両側部分３７，３８の身体側に重なるようにして形成されている。
【００４１】
漏れバリアカフ４はＺ字を画くように３枚重に折り畳まれたシートから形成されている。具体的には、漏れバリアカフ４は吸液性パネル２３とシャーシ２との間に位置し、シャーシ２の内面シート１１に接合される第１面４８と、第１面４８から離隔シート３の着用者側に折り返され両側部分３７または３８に重なる第２面４９と、第２面４９の着用者側に折り重ねられた第３面５０とを有している。第３面５０に位置する側縁５１はカフ弾性部材５２を取り付け可能とするために折り返されている。カフ弾性部材５２は、折り返された側縁５１の間に伸長状態で接合され、縦方向Ｙに亘って取り付けられている。
【００４２】
漏れバリアカフ４は、前後端部分５３，５４において、第１、第２および第３面４８，４９，５０をそれぞれ互いに接合し、これらが一体となって、シャーシ２の内面シート１１に接合されるようにしている。この漏れバリアカフ４にカフ弾性部材５２の収縮力が作用すると、第２面４９および第３面５０を上方に伸展させて離隔シート３から離間して、図２に示すような壁を形成する。
離隔シート３と漏れバリアカフ４とは、前後方接合部位５５，５６において互いに接合される。前後方接合部位５５，５６は、離隔シート弾性部材４６に重なる位置に形成されている。
【００４３】
上記のような離隔シート３とシャーシ２とは、図３に示すように、離隔シート３の中間部分３９が横中心線Ｑ−Ｑよりも、前ウエスト域７側に位置するようにしている。したがって、形成されたポケット３３は横中心線Ｑ−Ｑよりも後ウエスト域８側に形成され、着用者の体型差や、おむつのずれ等に拘わらず便をポケット３３に収容することができる。
【００４４】
離隔シート３と内外面シート１１，１２に取り付けられたレッグ弾性部材２１とにおいては、後レッグ弾性部材３５の後横断部３５ｂが、離隔シート３の中間部分３９に対応するように取り付けられている。言い換えれば、図３のような平面の状態において、後レッグ弾性部材３５は中間部分３９に重なるように位置させている。ただし、後横断部３５ｂを必ずしも中間部分３９と重なる位置に取り付ける必要はなく、中間部分３９を形成する前方連通部４０の閉鎖縁４３から前ウエスト域７側に向かって約１０ｍｍ離間し、後方連通部４１の閉鎖縁４５から後ウエスト域８に向かって約５０ｍｍ離間する程度の範囲内にあればよい。
【００４５】
上記のような構成を有するおむつ１を着用すると、後レッグ弾性部材３５が収縮し、後横断部３５ｂによって内外面シート１１，１２が横方向Ｘに収縮されるとともに着用者側に持ち上げられるように付勢される（図２参照）。後横断部３５ｂに対応する内外面シート１１，１２が着用者側に持ち上げられることによって、その後ウエスト域８側では相対的に着衣側へと垂れ下がる。内外面シート１１，１２には吸液性パネル２３が接合されているので、吸液性パネル２３も着衣側へと垂れ下がる。後横断部３５ｂの後ウエスト域８側の横方向Ｘ外側には、第１および第２周延部３５ａ，３５ｃが形成されているので、レッグ側縁部１７においては内外面シート１１，１２および吸液性パネル２３が縦方向Ｙに収縮するように付勢され、図２で示したポケット３３が形成される。ポケット３３は、後空隙部２９ｂのさらに着衣側に飛び出すように形成される。吸液性パネル２３がポケット３３の形成によって着衣側に飛び出すようになるので、吸液性パネル２３が着用者側へと折れ曲がるのを防止することができる。
【００４６】
後横断部３５ｂは離隔シート３の中間部分３９に対応する位置に形成しているので、中間部分３９で着用者側に持ち上げられ、ポケット３３は中間部分３９の後ウエスト域８側に位置する後方連通部４１に対応するように形成される。おむつ１を着用するときには、前方連通部４０に着用者の外性器が臨み、後方連通部４１に肛門が臨むように着用状態を整える。後横断部３５ｂが閉鎖縁４３から約１０ｍｍであって、閉鎖縁４５から約５０ｍｍの範囲内になるようにしているので、後方連通部４１が肛門に対応して位置し、後方連通部４１に排泄された便はポケット３３に収容される。すなわち、排泄された便は後方連通部４１を介してポケット３３に収容され、後空隙部２９ｂと相まって、便が肌に接触するのを抑制することができる。前方連通部４０の閉鎖縁４３から１０ｍｍを超えた距離に後横断部３５ｂが位置する場合には、ポケット３３が排便位置よりも前方に位置し、後方連通部４１の閉鎖縁４５から５０ｍｍを超えた距離に後横断部３５ｂが位置する場合には、ポケット３３が排便位置よりも後方に位置し、適切な位置にポケット３３を形成することができない。
【００４７】
ポケット３３は、おむつ１の着用状態において後レッグ弾性部材３５によって常に付勢されているので、その形状が崩れることがない。すなわち、おむつ１に外力が作用してその形状が崩れてしまっても、後レッグ弾性部材３５の収縮力によってもとのポケット３３の形状が復元される。
後レッグ弾性部材３５は、後ウエスト域８から一方のレッグ開口１９に沿って延びる後第１周延部３５ａと、他方のレッグ開口１９に沿って延びる後第２周延部３５ｃとを有することとしたので、これら第１および第２周延部３５ａ，３５ｃの収縮力によって、後横断部３５ｂをさらに着用者側へと引き上げることができ、よりポケット３３の形状を保持することができる。したがって、より一層便が肌に接触するのを抑制する効果を発揮することができる。これら第１および第２周延部３５ａ，３５ｂによってレッグ開口１９を着用者に密着させるという効果を発揮することもできる。
【００４８】
図３に示したように、吸液性パネル２３に形成した刳り抜き３６は、後横断部３５ｂよりも後ウエスト域８側に位置するように形成している。刳り抜き３６は芯材２５を刳り抜いて形成しているので、他の部分よりもその剛性が低くなっている。したがって、刳り抜き３６の両側縁を境にして、刳り抜き３６の横方向Ｘ外側に位置する芯材２５が後ウエスト域８側で縦方向Ｙにも折れ曲がりやすくなり、後横断部３５ｂの収縮力が作用することによって、吸液性パネル２３は着衣側へ向かって凸となる。吸液性パネル２３が着衣側に向かって凸となることで、より一層ポケット３３の形状が復元されやすくなり、クロッチ域９がつぶれて着用者側へと折れ曲がるのを抑制することができる。
【００４９】
吸液性芯材２５は、水分を含むと膨張し身体側に向かって膨らみ、形成された空隙２９を狭くすることがあるが、刳り抜き３６を形成することにより、この膨らみを防止することができ、空隙２９が狭くなるのを抑制することができる。また、刳り抜き３６の形成によって、この形成部分の剛性が低下し芯材２５がへたる可能性があるが、刳り抜き３６に重なるように刳り抜き用シート５７を形成しているので、その剛性を維持することができる。すなわち、例えば着用者が座ったときには、体圧によって空隙２９がつぶれることがある。芯材２５がへたっていると着用者が立ち上がったときにつぶれた空隙２９をもとに戻し、再び空隙２９を形成することができなくなる可能性がある。しかし、刳り抜き用シート５７を形成することによって、つぶれた空隙２９をもとの状態に回復することができる。
【００５０】
上記のような刳り抜き３６はその全部が後横断部３５ｂよりも後ウエスト域８に位置するようにしているのが、この態様に限定されるべきものではない。すなわち、刳り抜き３６の一部が後横断部３５ｂに重なるような位置関係にあってもよい。
【００５１】
図６に示したように折り曲げ誘導部として、縦方向Ｙに延びる二条のスリット５８を形成することもできる。図示したように、スリット５８は、吸液性芯材２５をその厚さ方向に除去することによって形成され、後ウエスト域８に向かって横方向Ｘの間隔が大きくなるようにしている。このようにスリット５８を形成することによって、吸液性パネル２３は後ウエスト域８側で縦方向Ｙにも折れ曲がりやすくなり、後横断部３５ｂの収縮力が作用することによって、吸液性パネル２３は着衣側へ向かって凸となることができる。なお、スリット５８は縦方向Ｙに延びる一条のものでもよく、吸液性パネル２３が縦方向Ｙに折れ曲がりやすくなるものであればよい。
【００５２】
離隔シート３および漏れバリアカフ４は液抵抗性かつ通気性の不織布等、内面シート１１および外面シート１２は通気性不織布等、漏れバリアシート１３はプラスチックフィルム等、吸液性パネル２３はフラッフパルプと高吸収性ポリマー粒子との混合物等、それぞれ当技術分野の慣用素材を用いることができる。
＜第２の実施形態＞
【００５３】
図７は第２の実施形態を示したおむつ１の平面図であり、吸液性パネル２３、離隔シート３および漏れバリアカフ４を省略している。この第２の実施形態では前レッグ弾性部材３４の配置が第１の実施形態と異なるものであり、他の構成要素は第１の実施形態と同様である。第１の実施形態と同様の構成要素については、その詳細な説明を省略する。
【００５４】
図７に示したように、後レッグ弾性部材３５だけでなく、前レッグ弾性部材３４にも横断部を形成している。すなわち、前レッグ弾性部材３４は、前ウエスト域７から一方のレッグ側縁部１７に沿って延びる前第１周延部３４ａと、一方のレッグ側縁部１７から他方のレッグ側縁部１７へとまたがって横断する前横断部３４ｂと、前横断部３４ｂから他方のレッグ側縁部１７に沿って前ウエスト域７へと延びる前第２周延部３４ｃとを含む。このように前レッグ弾性部材３４は、横方向Ｘに亘って連続して取り付けられている。後レッグ弾性部材３５の後横断部３５ｂと、前レッグ弾性部材３４の前横断部３４ｂとは、交差することなく縦方向Ｙに離間している。
【００５５】
後レッグ弾性部材３５だけでなく、前レッグ弾性部材３４にも横断部を形成することとしたので、前横断部３４ｂおよび後横断部３５ｂによってクロッチ域９を着用者側に付勢することができる。したがって、ポケット３３を形成することができ、この形状を保持して排泄された便が着用者の肌に接触するのを抑制することができる。
【００５６】
前レッグ弾性部材３４にも横断部を形成した場合の、他の実施形態として図８に示したものがある。図８では後レッグ弾性部材３５の後横断部３５ｂと前レッグ弾性部材３４の前横断部３４ｂとがクロッチ域９で交差するように取り付けている。すなわち、前後横断部３４ｂ，３５ｂは、その横方向Ｙの両端において交差し、クロッチ域９では後横断部３５ｂが前ウエスト域７側に位置し、前横断部３４ｂが後ウエスト域８側に位置して、互いに離間している。
【００５７】
このように前後レッグ弾性部材３４，３５が交差した場合においても、前横断部３４ｂおよび後横断部３５ｂによってクロッチ域９を着用者側に付勢することができるので、排泄された便が着用者の肌に接触するのを抑制することができる。
前後横断部３４ｂ，３５ｂが離間するようにしているが、これらが重なるように配置してもよい。
【図面の簡単な説明】
【００５８】
【図１】第１の実施形態のおむつの斜視図。
【図２】図１のＩＩ−ＩＩ線断面図。
【図３】おむつの平面図。
【図４】おむつの説明図。
【図５】おむつの説明図。
【図６】他の実施態様を示した図５と同様の図。
【図７】第２の実施形態の図４と同様の説明図。
【図８】他の実施態様を示した図７と同様の図。
【図９】従来例の模式図。
【符号の説明】
【００５９】
１    おむつ
２    シャーシ
３    離隔シート
７    前ウエスト域
８    後ウエスト域
９    クロッチ域
１０    吸液構造体
１８    ウエスト開口
１９    レッグ開口
２１    レッグ弾性部材
２３    吸液性パネル（吸液構造体）
２４    吸液拡散シート（シート）
２５    吸液性芯材
２６    身体側ライナ（シート）
２９    空隙
３４    前レッグ弾性部材
３４ａ  前第１周延部
３４ｂ  前横断部
３４ｃ  前第２周延部
３５    後レッグ弾性部材
３５ａ  後第１周延部
３５ｂ  後横断部
３５ｃ  後第２周延部
３６    刳り抜き（折り曲げ誘導部）
３７    両側部分
３８    両側部分
３９    中間部分
４０    前方連通部
４１    後方連通部
５８    スリット（折り曲げ誘導部）
【図１】
0005185665.tif 000002
【図２】
0005185665.tif 000003
【図３】
0005185665.tif 000004
【図４】
0005185665.tif 000005
【図５】
0005185665.tif 000006
【図６】
0005185665.tif 000007
【図７】
0005185665.tif 000008
【図８】
0005185665.tif 000009
【図９】
0005185665.tif 000010